(57)【要約】【課題】夜間時間帯における沸上運転による騒音を低減する。【解決手段】給湯装置１は、夜間時間帯に沸上運転を行う複数の給湯ユニット２を備えており、各給湯ユニット２は、ヒートポンプユニット４とヒートポンプユニット４で加熱された温水を貯留する貯湯タンク１０とを備える。１つの給湯ユニット２は、別の給湯ユニット２よりも、夜間時間帯における沸上運転を開始するタイミングおよび終了するタイミングが早い。【選択図】図４
2014052154.tif 000002
【特許請求の範囲】
【請求項１】
夜間時間帯に沸上運転を行う複数の給湯ユニットを備え、
前記給湯ユニットは、ヒートポンプユニットと、前記ヒートポンプユニットで加熱された温水を貯留する貯湯タンクとを備え、
１つの前記給湯ユニットは、別の前記給湯ユニットよりも、夜間時間帯における沸上運転を開始するタイミングおよび終了するタイミングが早いことを特徴とする給湯装置。
【請求項２】
夜間時間帯において最初に沸上運転を開始する前記給湯ユニットが、夜間時間帯の開始時刻に沸上運転を開始することを特徴とする請求項１に記載の給湯装置。
【請求項３】
夜間時間帯において最後に沸上運転を開始する前記給湯ユニットが、夜間時間帯の終了時刻に沸上運転を終了できるように前記貯湯タンクの残湯量に基づいて決定された開始時刻に沸上運転を開始することを特徴とする請求項１または２に記載の給湯装置。
【請求項４】
１つの前記給湯ユニットの沸上運転が終了した時に、別の前記給湯ユニットが沸上運転を開始することを特徴とする請求項１〜３のいずれかに記載の給湯装置。
【発明の詳細な説明】
【技術分野】
【０００１】
本発明は、貯湯タンクおよびヒートポンプユニットを有する給湯ユニットを複数備えた給湯装置に関する。
【背景技術】
【０００２】
給湯装置は、給湯端末に供給される温水を貯留する貯湯タンクと、貯湯タンクに貯留される温水を加熱するためのヒートポンプユニットとを有する（例えば特許文献１参照）。ヒートポンプユニットは、圧縮機や水熱交換器などを含む冷媒回路を有する。給湯装置は、貯湯タンクから取り出した低温水を、水熱交換器において冷媒との熱交換により加熱して、タンクに戻すようになっている。この沸上運転は、電気料金の安い夜間時間帯に自動的に行われる。
【０００３】
また、業務用などの給湯装置として、貯湯タンクとヒートポンプユニット（熱源機）を有する給湯ユニットを複数台備えたものがある（例えば特許文献２参照）。
【先行技術文献】
【特許文献】
【０００４】
【特許文献１】特開２００２−１２２３６２号公報
【特許文献２】特開２００５−１３４０６４号公報
【発明の概要】
【発明が解決しようとする課題】
【０００５】
しかしながら、複数の給湯ユニットを有する従来の給湯装置では、夜間時間帯に全ての給湯ユニットが同時に沸上運転を行うため、ヒートポンプユニットの運転音が大きくなる。そのため、給湯装置の設置場所が住宅に近い場合などは、騒音が問題となる。
【０００６】
そこで、本発明は、夜間時間帯における沸上運転による騒音を低減できる給湯装置を提供することを目的とする。
【課題を解決するための手段】
【０００７】
第１の発明に係る給湯装置は、夜間時間帯に沸上運転を行う複数の給湯ユニットを備え、前記給湯ユニットは、ヒートポンプユニットと、前記ヒートポンプユニットで加熱された温水を貯留する貯湯タンクとを備え、１つの前記給湯ユニットは、別の前記給湯ユニットよりも、夜間時間帯における沸上運転を開始するタイミングおよび終了するタイミングが早いことを特徴とする。
【０００８】
この給湯装置では、複数の給湯ユニットのうち２つの給湯ユニットは、夜間時間帯において沸上運転を行う時間帯がずれるため、全ての給湯ユニットが夜間時間帯に同時に沸上運転を行う場合に比べて、夜間時間帯の沸上運転による騒音を低減できる。
【０００９】
第２の発明に係る給湯装置は、第１の発明において、夜間時間帯において最初に沸上運転を開始する前記給湯ユニットが、夜間時間帯の開始時刻に沸上運転を開始することを特徴とする。
【００１０】
この給湯装置では、夜間時間帯における最初の沸上運転が、夜間時間帯の開始時刻に開始されるため、夜間時間帯の給湯量が多い場合に湯切れを防止できる。
【００１１】
第３の発明に係る給湯装置は、第１または第２の発明において、夜間時間帯において最後に沸上運転を開始する前記給湯ユニットが、夜間時間帯の終了時刻に沸上運転を終了できるように前記貯湯タンクの残湯量に基いて決定された開始時刻に沸上運転を開始することを特徴とする。
【００１２】
この給湯装置では、夜間時間帯において最後に開始された沸上運転が、夜間時間帯の終了時刻頃に終了するため、夜間時間帯の途中で全ての給湯ユニットの沸上運転が終了する場合に比べて、夜間時間帯の貯湯タンク内の温水の放熱を低減できる。
【００１３】
第４の発明に係る給湯装置は、第１〜第３の発明のいずれかにおいて、１つの前記給湯ユニットの沸上運転が終了した時に、別の前記給湯ユニットが沸上運転を開始することを特徴とする。
【００１４】
この給湯装置では、複数の給湯ユニットのうち２つの給湯ユニットは、沸上運転を行う時間帯が重複しないため、騒音をより確実に低減できる。
【発明の効果】
【００１５】
以上の説明に述べたように、本発明によれば、以下の効果が得られる。
【００１６】
第１の発明では、複数の給湯ユニットのうち２つの給湯ユニットは、夜間時間帯において沸上運転を行う時間帯がずれるため、全ての給湯ユニットが夜間時間帯に同時に沸上運転を行う場合に比べて、夜間時間帯の沸上運転による騒音を低減できる。
【００１７】
第２の発明では、夜間時間帯における最初の沸上運転が、夜間時間帯の開始時刻に開始されるため、夜間時間帯の給湯量が多い場合に湯切れを防止できる。
【００１８】
第３の発明では、夜間時間帯において最後に開始された沸上運転が、夜間時間帯の終了時刻頃に終了するため、夜間時間帯の途中で全ての給湯ユニットの沸上運転が終了する場合に比べて、夜間時間帯の貯湯タンク内の温水の放熱を低減できる。
【００１９】
第４の発明では、複数の給湯ユニットのうち２つの給湯ユニットは、沸上運転を行う時間帯が重複しないため、騒音をより確実に低減できる。
【図面の簡単な説明】
【００２０】
【図１】本発明の第１実施形態に係る給湯装置の構成を示す図である。
【図２】給湯装置が備える給湯ユニットの配管系統図である。
【図３】第１実施形態において、夜間時間帯における沸上運転の開始時刻を決定する手順を示すフローチャートである。
【図４】第１実施形態において、沸上所要時間の合計値が夜間時間帯の時間以下の場合の沸上運転の具体例を示すグラフである。
【図５】第１実施形態において、沸上所要時間の合計値が夜間時間帯の時間を超える場合の沸上運転の一例を示すグラフである。
【図６】第１実施形態において、沸上所要時間の合計値が夜間時間帯の時間を超える場合の沸上運転の一例を示すグラフである。
【図７】第２実施形態において、沸上所要時間の合計値が夜間時間帯の時間を超える場合の沸上運転の一例を示すグラフである。
【図８】第３実施形態において、沸上所要時間の合計値が夜間時間帯の時間を超える場合の沸上運転の一例を示すグラフである。
【発明を実施するための形態】
【００２１】
＜第１実施形態＞
以下、本発明の第１の実施形態に係る給湯装置について説明する。
図１に示すように、本実施形態の給湯装置１は、給湯端末に温水を供給するための装置であって、４つの給湯ユニット２（２Ａ〜２Ｄ）と、給湯端末と４つの給湯ユニット２とを接続する給湯配管５と、給水源と４つの給湯ユニット２とを接続する給水配管６とを備える。図１および図２に示すように、各給湯ユニット２は、貯湯タンク１０を有する貯湯ユニット３と、この貯湯ユニット３に接続された２つのヒートポンプユニット４とを有する。ヒートポンプユニット４は、貯湯タンク１０に貯留される温水を加熱するためのものである。
【００２２】
また、各給湯ユニット２には、冷媒回路８と沸上回路７が２つずつ設けられている。冷媒回路は、ヒートポンプユニット４に設けられ、沸上回路７は、貯湯ユニット３とヒートポンプユニット４にわたって設けられている。
【００２３】
冷媒回路８は、圧縮機２１と、水熱交換器２２と、電動膨張弁２３と、空気熱交換器２４と、これらを順に接続する冷媒配管とを有し、例えばＣＯ２などの冷媒が循環する。また、冷媒回路８は、水熱交換器２２から出る高温高圧の冷媒と、空気熱交換器２４から出る冷温低圧の冷媒との間で熱交換を行うためのガス熱交換器２５を有する。また、空気熱交換器２４の近傍には、空気熱交換器２４の能力を調整するためのファン２６が配置されている。
【００２４】
圧縮機２１で圧縮された冷媒は、水熱交換器２２において温水との熱交換により冷却された後、ガス熱交換器２５でさらに冷却される。その後、冷媒は電動膨張弁２３において減圧された後、空気熱交換器２４において外気との熱交換により加熱されて、圧縮機２１に戻る。
【００２５】
沸上回路７は、貯湯タンク１０と、ポンプ３１と、水熱交換器２２と、三方弁３２とが順に接続された回路である。貯湯タンク１０、ポンプ３１、及び三方弁３２は、貯湯ユニット３に設けられ、水熱交換器２２はヒートポンプユニット４に設けられている。
【００２６】
貯湯タンク１０の上部には、給湯出口１１と、上戻し口１２が設けられており、貯湯タンク１０の下部には、給水口１３と、取出口１４と、下戻し口１５が設けられている。上戻し口１２、取出口１４、下戻し口１５は、沸上回路７に接続されている。上戻し口１２、取出口１４、下戻し口１５は、２つの沸上回路７で共有している。
【００２７】
また、貯湯タンク１０の外面には、貯湯タンク１０内の温水の温度を検知する複数のタンクサーミスタ１６が、上下方向に並んで取り付けられている。タンクサーミスタ１６で検知された温度によって、貯湯タンク１０内に高温の温水がどれだけ残っているかを検知できる（残湯量検知）。
【００２８】
三方弁３２は、水熱交換器２２の出口側を上戻し口１２と下戻し口１５のいずれかに連通するように切り換えるものであって、水熱交換器２２で加熱された温水の温度（出湯温度）に応じて切り換えられる。出湯温度が低い場合（例えば沸上運転の開始直後）には、三方弁３２は、水熱交換器２２が下戻し口１５に連通するように切り換えられ、出湯温度が目標出湯温度に近付くと、三方弁３２は、水熱交換器２２が上戻し口１２に連通するように切り換えられる。
【００２９】
沸上運転時には、冷媒回路８の圧縮機２１とファン２６が駆動すると共に、沸上回路７のポンプ３１が駆動して、貯湯タンク１０の取出口１４から温水が取り出されて、水熱交換器２２に供給される。温水は水熱交換器２２において加熱された後、上戻し口１２または下戻し口１５から貯湯タンク１０内に戻される。
【００３０】
また、貯湯ユニット３は、貯湯タンク１０の給湯出口１１と給湯配管５とを接続する給湯配管３３と、貯湯タンク１０の給水口１３と給水配管６とを接続する給水配管３４とを有する。
【００３１】
給湯端末への給湯を行う場合、貯湯タンク１０の給湯出口１１から温水が出湯されると同時に、給水源からの水が給水口１３から貯湯タンク１０内に供給される。そのため、貯湯タンク１０内の温水がすべて加熱されて高温となっている場合を除けば、貯湯タンク１０内の温水の温度は、上部が高温、下部が低温となっている。４つの貯湯タンク１０から給湯端末までの給湯配管の長さが異なることなどが理由で、１回の給湯時に４つの貯湯タンク１０からそれぞれ出湯される流量は異なる。そのため、４つの貯湯タンク１０の残湯量は異なっている場合がある。
【００３２】
次に、給湯装置１の制御部（図示省略）について説明する。制御部は４つの給湯ユニット２の沸上運転を制御する。制御部は、電気料金が安価な夜間時間帯（例えば２２時から７時）に、４つの給湯ユニット２が沸上運転を行うように制御する。この場合の沸上運転を、夜間自動沸上運転と称する。また、制御部は、時間帯に関わらず、貯湯タンク１０の残湯量が所定量未満となった場合には、その貯湯タンク１０を有する給湯ユニット２が沸上運転を行うように制御する。この場合の沸上運転を、湯切れ沸上運転と称する。
【００３３】
１つの給湯ユニット２に関して、時刻または残湯量による沸上運転開始条件が成立すると、制御部は、この給湯ユニット２が有する２つのヒートポンプユニット４の圧縮機２１、ファン２６を駆動するとともに、この給湯ユニット２が有する貯湯ユニット３の２つのポンプ３１を駆動して、沸上運転を開始する。沸上運転時、制御部は、水熱交換器２２で加熱された温水の温度に基いて三方弁３２を制御する。また、制御部は、貯湯タンク１０内の温水の温度が目標沸上温度に達したときに、沸上運転を終了する。
【００３４】
以下、制御部による４つの給湯ユニット２の夜間自動沸上運転の開始時刻（以下、沸上開始時刻という）の決定方法について、図３に示すフローチャートを用いて説明する。
【００３５】
制御部は、夜間時間帯の前に、沸上開始時刻を決定する。制御部は、まず、４つの貯湯タンク１０のそれぞれの残湯量から、４つの給湯ユニット２のそれぞれの沸上所要時間を算出する（ステップＳ１）。
【００３６】
４つの沸上所要時間の合計時間が、夜間時間帯の時間（以下、夜間時間という）以下の場合には（ステップＳ２、ＮＯ）、制御部は、算出された沸上所要時間に基いて、４つの給湯ユニット２の沸上運転の時間が重複しないように、４つの給湯ユニット２の沸上開始時刻を決定する（ステップＳ３）。より具体的には、４つの給湯ユニット２の沸上運転の時間を、夜間時間帯の開始時刻側に詰める（前詰め）か、もしくは、夜間時間帯の終了時刻側に詰める（後詰め）ようにして、沸上開始時刻を決定する。前詰めおよび後詰めのいずれを用いるかは、予め決定されていてもよく、リモコンの操作によって選択できるようになっていてもよい。
【００３７】
図４（ａ）は、前詰めで沸上開始時刻を決定する場合の具体例である。図４（ａ）では、夜間時間の開始時刻を、給湯ユニット２Ａの沸上開始時刻としている。また、給湯ユニット２Ａの沸上開始時刻に給湯ユニット２Ａの沸上所要時間を足した時刻を、給湯ユニット２Ｂの沸上開始時刻としている。給湯ユニット２Ｃ、２Ｄの沸上開始時刻の説明は、給湯ユニット２Ｂと同様であるため省略する。
【００３８】
図４（ｂ）は、後詰めで沸上開始時刻を決定する場合の具体例である。図４（ｂ）では、夜間時間帯の終了時刻から給湯ユニット２Ａの沸上所要時間を引いた時刻を、給湯ユニット２Ａの沸上開始時刻としている。また、給湯ユニット２Ａの沸上開始時刻から給湯ユニット２Ｂの沸上所要時間を引いた時刻を、給湯ユニット２Ｂの沸上開始時刻としている。給湯ユニット２Ｃ、２Ｄの沸上開始時刻の説明は、給湯ユニット２Ｂと同様であるため省略する。
【００３９】
図４（ａ）および図４（ｂ）中の沸上所要時間は、夜間時間帯の前の残湯量に基いて算出されたものであるため、夜間時間帯に給湯があった場合には、図中の沸上所要時間よりも実際の沸上所要時間が長くなる。そのため、１つの給湯ユニット２の沸上運転が終了する前に、次の沸上運転が開始する場合がある。また、後詰めの場合には、夜間時間帯の終了時刻の後で、最後の沸上運転が終了する場合がある。
【００４０】
制御部は、４つの沸上所要時間の合計時間が、夜間時間を超える場合には（ステップＳ２、ＹＥＳ）、グループごとの沸上所要時間の合計時間が夜間時間以下となるように、４つの給湯ユニット２を複数のグループに分ける（ステップＳ４）。
【００４１】
例えば図５に示すように、給湯ユニット２Ａ〜２Ｄの沸上所要時間が、５時間、４時間、３時間、３時間の場合には、給湯ユニット２Ａ、２Ｃをグループ１とし、給湯ユニット２Ｂ、２Ｄをグループ２とする。
また例えば図６に示すように、給湯ユニット２Ａ〜２Ｄの沸上所要時間が、６時間、５時間、３．５時間、３．５時間の場合には、給湯ユニット２Ａをグループ１とし、給湯ユニット２Ｂ、２Ｃをグループ２とし、給湯ユニット２Ｄをグループ３とする。
【００４２】
制御部は、奇数番号のグループの給湯ユニット２の沸上運転が上述の前詰めで並ぶように、奇数番号のグループの給湯ユニット２の沸上開始時刻を決定するとともに、偶数番号のグループの給湯ユニット２の沸上運転が上述の後詰めで並ぶように、偶数番号のグループの給湯ユニット２の沸上開始時刻を決定する（ステップＳ５）（図５および図６参照）。
【００４３】
本実施形態の給湯装置１では、前詰めおよび後詰めの一方または両方によって、４つの給湯ユニット２の夜間自動沸上運転の開始時刻を決定する。そのため、複数の給湯ユニット２のうち少なくとも２つの給湯ユニット２は、夜間時間帯において沸上運転を行う時間帯がずれる。したがって、全ての給湯ユニット２が夜間時間帯に同時に沸上運転を行う場合に比べて、夜間時間帯の沸上運転による騒音を低減できる。
【００４４】
また、本実施形態では、夜間時間帯に給湯がなかった場合には、１つの給湯ユニット２の沸上運転が終了した時に、別の給湯ユニット２が沸上運転を開始するため、この２つの給湯ユニット２は、沸上運転を行う時間帯が重複しない。そのため、騒音をより確実に低減できる。
【００４５】
また、前詰めで沸上開始時刻を決定した場合、夜間時間帯における最初の沸上運転が、夜間時間帯の開始時刻に開始されるため、夜間時間帯の給湯量が多い場合に湯切れを防止できる。
【００４６】
また、後詰めで沸上開始時刻を決定した場合、夜間時間帯において最後に開始された沸上運転が、夜間時間帯の終了時刻頃に終了するため、夜間時間帯の途中で全ての給湯ユニットの沸上運転が終了する場合に比べて、夜間時間帯の貯湯タンク１０内の温水の放熱を低減できる。
【００４７】
＜第２実施形態＞
次に、本発明の第２実施形態に係る給湯装置について説明する。但し、上記第１実施形態と同様の構成を有するものについては、同じ符号を用いて適宜その説明を省略する。
本実施形態の給湯装置は、制御部による４つの給湯ユニットの夜間自動沸上運転の開始時刻の決定方法が、上記第１実施形態と異なる。その他の構成は、上記第１実施形態と同じである。
【００４８】
制御部は、夜間自動沸上運転の開始時刻の決定する際、まず、第１実施形態と同様に、４つの貯湯タンク１０の残湯量に基いて、４つの給湯ユニット２の沸上所要時間を算出する。
【００４９】
４つの沸上所要時間の合計時間が夜間時間以下の場合には、制御部は、第１実施形態と同様に、４つの給湯ユニット２の沸上運転時間が前詰めまたは後詰めとなるように、４つの給湯ユニット２の沸上開始時刻を決定する。
【００５０】
４つの沸上所要時間の合計時間が夜間時間を超える場合には、制御部は、４つの給湯ユニット２の沸上運転の時間を、前詰めで並べてから後詰めで並べて、それでも夜間時間帯に全ての沸上運転時間が収まらない場合には、残りの沸上運転時間を前詰めで並べることで、４つの給湯ユニット２の沸上開始時刻を決定する。具体例を図７に示す。図７では、前詰めと後詰めだけで、４つの給湯ユニット２の沸上運転の時間が夜間時間帯に収まっている。夜間時間帯に給湯があった場合には、実際に沸上運転を終了するタイミングは、図７より遅くなる場合がある。
【００５１】
本実施形態の給湯装置では、第１実施形態と同様に、全ての給湯ユニット２が夜間時間帯に同時に沸上運転を行う場合に比べて、夜間時間帯の沸上運転による騒音を低減できる。
【００５２】
＜第３実施形態＞
次に、本発明の第３実施形態に係る給湯装置について説明する。但し、上記第１実施形態と同様の構成を有するものについては、同じ符号を用いて適宜その説明を省略する。
本実施形態の給湯装置は、制御部による４つの給湯ユニットの夜間自動沸上運転の開始時刻の決定方法が、上記第１実施形態と異なる。その他の構成は、上記第１実施形態と同じである。
【００５３】
制御部は、夜間自動沸上運転の開始時刻の決定する際、まず、第１実施形態と同様に、４つの貯湯タンク１０の残湯量に基いて、４つの給湯ユニット２の沸上所要時間を算出する。
【００５４】
４つの沸上所要時間の合計時間が夜間時間以下の場合には、制御部は、第１実施形態と同様に、４つの給湯ユニット２の沸上運転時間が前詰めまたは後詰めとなるように、４つの給湯ユニット２の沸上開始時刻を決定する。
【００５５】
４つの沸上所要時間の合計時間が夜間時間を超える場合には、制御部は、４つの沸上所要時間の合計時間と夜間時間との差を、給湯ユニット２の数から１引いた数（本実施形態では３）で割る。制御部は、４つの給湯ユニット２の沸上運転の時間を、算出された時間の分だけ重複させつつ、夜間時間帯の開始時刻から終了時刻にわたってずらして並べて、４つの給湯ユニット２の沸上開始時刻を決定する。つまり、１つの給湯ユニット２の沸上開始時刻に沸上所要時間を足した時刻（沸上終了予定時刻）から、算出された時間を引いた時刻を、別の給湯ユニット２の沸上開始時刻とする。具体例１を図８に示す。図８では、４つの沸上所要時間の合計値が１２時間で、沸上運転の重複する時間が１時間となっている。夜間時間帯に給湯があった場合には、実際に沸上運転を終了するタイミングは、図８より遅くなる場合がある。
【００５６】
本実施形態の給湯装置では、第１実施形態と同様に、全ての給湯ユニット２が夜間時間帯に同時に沸上運転を行う場合に比べて、夜間時間帯の沸上運転による騒音を低減できる。
【００５７】
以上、本発明の実施の形態について説明したが、本発明の具体的な構成は、上記第１〜第３実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００５８】
上記第１および第２実施形態では、後詰めで沸上開始時刻を決定する場合、夜間時間帯における最後の沸上開始時刻を、夜間時間帯の終了時刻から沸上所要時間を引いた時刻としているが、夜間時間帯に給湯があった場合でも夜間時間帯内に沸上運転を終了できるように、夜間時間帯の終了時刻よりも若干（例えば１時間）早い時刻から沸上所要時刻を引い時刻を、沸上開始時刻としてもよい。
【００５９】
４つの給湯ユニット２の夜間自動沸上運転の開始時刻の決定方法は、１つの給湯ユニット２が、別の給湯ユニット２よりも、沸上運転を開始するタイミングおよび終了するタイミングが早くなるような方法であれば、上記第１〜第３実施形態以外の方法であってもよい。上記第１〜第３実施形態では、夜間時間帯の前に、全ての給湯ユニット２の沸上開始時刻を決定しているが、夜間時間帯の残湯量に基いて、夜間時間帯の途中で、一部の給湯ユニット２の沸上開始時刻を決定してもよい。
【００６０】
上記第１〜第３実施形態では、４つの給湯ユニット２の夜間自動沸上運転は、必ず時間をずらして行われるが、全ての給湯ユニット２の夜間自動沸上運転を同時に行うか、第１〜第３実施形態のようにずらして行うか、リモコンで選択できるようになっていてもよい。
【００６１】
上記第１〜第３実施形態では、１つの給湯ユニット２が有するヒートポンプユニット４の数は、２つであるが、１つであっても、３つ以上であってもよい。また、複数の給湯ユニット２ごとに、ヒートポンプユニット４の数が異なっていてもよい。
【００６２】
上記第１〜第３実施形態では、給湯装置１が有する給湯ユニット２の数は、４つであるが、複数であれば、３つ以下であっても、５つ以上であってもよい。
【産業上の利用可能性】
【００６３】
本発明を利用すれば、夜間時間帯における沸上運転による騒音を低減できる。
【符号の説明】
【００６４】
１  給湯装置
２（２Ａ〜２Ｄ）  給湯ユニット
３  貯湯ユニット
４  ヒートポンプユニット
７  沸上回路
８  冷媒回路
１０  貯湯タンク
【図１】
2014052154.tif 000003
【図２】
2014052154.tif 000004
【図３】
2014052154.tif 000005
【図４】
2014052154.tif 000006
【図５】
2014052154.tif 000007
【図６】
2014052154.tif 000008
【図７】
2014052154.tif 000009
【図８】
2014052154.tif 000010